(57)【要約】      （修正有）【課題】へたりをなくすことにより、ホースのずれ落ち防止をする人工呼吸器用ホース保持具を提供する。【解決手段】人工呼吸器用ホース保持具１は、保持部１ｃは金属製のばね材によって形成され、保持部１ｃの中央には固定軸２に取り付けられる固定部１ａが形成され、この固定部１ａの左右両側にはホースを保持するための円弧状の湾曲部１ｂを有する略Ｕ字状の保持部１ｃが各々形成され、固定部１ａ及び保持部１ｃが保護被膜５によって被覆されている。【選択図】図１
0003204743.tif 000002
【実用新案登録請求の範囲】
【請求項１】
人工呼吸器用のホースを保持するための保持具であって、保持部は金属製のばね材によって形成され、保持部の中央には固定軸に取り付けられる固定部が形成され、この固定部の左右両側には前記ホースを保持するための円弧状の湾曲部を有する略Ｕ字状の前記保持部が各々形成され、前記固定部及び保持部が保護被膜によって被覆されている人工呼吸器用ホース保持具。
【請求項２】
ばね材を金属製板ばねとした請求項１に記載の人工呼吸器用ホース保持具。
【請求項３】
ばね材を金属製線ばねとした請求項１に記載の人工呼吸器用ホース保持具。
【考案の詳細な説明】
【技術分野】
【０００１】  本考案は，へたりを生じない人工呼吸器用ホース保持具に関するものである。
【背景技術】
【０００２】  病院，医院，自宅等で正常な呼吸を行うことができない患者に対して、呼吸の手助けをするために人工呼吸器が使用される。人工呼吸器と患者に装着されたマスクとの間はホースによって接続されている。そして、ホースはホース保持具によって保持されている。
【考案の概要】
【考案が解決しようとする課題】
【０００３】  一般に、人工呼吸器用ホース保持具は、プラスチック製が多用されている。プラスチック製の場合は、半年程度使用するとばね性が劣化するため、へたりが生じ，ホース保持部が開いてくる。それによりホースが滑り落ち、ホース保持具の役目をしなくなり、人工呼吸器からの酸素等の供給がスムーズに行われなくなる問題があった。そこで本考案の課題は。経年変化によるへたりを防止し、ホースを確実に保持することができる人工呼吸器用ホース保持具を提供することにある。
【課題を解決するための手段】
【０００４】  人工呼吸器用のホースを保持する保持具において、金属製のばね材によって略Ｗ形に形成され、中央頂部には固定軸に取り付けられる固定部が形成され、この固定部の左右両側には前記ホースを保持するための円弧状の湾曲部を有する略Ｕ字状の保持部が各々形成され、前記固定部及び保持部が保護被膜によって被覆されている。【０００５】  保持具に使用するばね材は、金属製板ばね、または金属製線ばねとすることが望ましい。
【考案の効果】
【０００６】  ホース保持部、固定部を金属製のばね材によって略Ｗ形に形成し、左右両側にはホースを保持するための円弧状の湾曲部を有する略Ｕ字状の保持部を各々形成したので、プラスチック製の保持具のように、短期間でへたりが生ずることが防止され、長寿命化を図ることができる。また、左右両側に円弧状の湾曲部を有する略Ｕ字状の保持部が形成され、しかも固定部の下の中央部分もばね材によって弾性変形するので、略Ｕ字状の保持部によって挟むようにして、ホースを確実に保持することができ、ホースの滑り落ちを防止することができる。さらに、固定部及び保持部を保護被膜によって被覆することにより、ホースへの損傷を未然に防止することができる。【０００７】  また、ホース保持部、固定部を金属性線ばねにしても同様の効果を得る。
【図面の簡単な説明】
【０００８】
【図１】本考案の人工呼吸器ホース保持具の一実施例を示す正面図である。
【図２】人工呼吸器ホース保持具の側面図である。
【図３】人工呼吸器ホース保持部の第２の実施例を示す正面図である。
【図４】ホース保持部を金属製線ばねにより形成した例を示す斜視図である。
【考案を実施するための形態】
【０００９】  本考案による人工呼吸器用ホース保持具は、保持部は金属製のばね材によって形成され、保持部の中央には固定軸に取り付けられる固定部が形成され、この固定部の左右両側には前記ホースを保持するための円弧状の湾曲部を有する略Ｕ字状の前記保持部が各々形成され、前記固定部及び保持部が保護被膜によって被覆されている。
【００１０】  以下，図面に従って本考案の実施例を説明する。人工呼吸器ホース保持具１は、図１、図２に示すように、金属製のばね材によって略Ｗ形に形成され、中央頂部には固定軸２に取り付けるための固定部１ａが形成され、この固定部１ａの左右両側にはホース（図示しない）を保持するための円弧状の湾曲部１ｂを有する略Ｕ字状の保持部１ｃが各々形成されている。さらに、固定軸２の上端部には、握り玉３が取り付けられている。固定軸２は、人工呼吸器取付けアームからホースを所定距離離してホース保持をし易くするために設けられていて、固定部１ａにボルト４によって固定されている。
【００１１】  図１、図２に示す人工呼吸器ホース保持具１における金属製のばね材は、金属性板ばねによって形成されている。さらに、固定部１ａ、湾曲部１ｂ及び保持部１ｃは、保護被膜５によって被覆されている。この保護被膜５は、例えば塩化ビニール製樹脂をコーティングすることにより形成される。
【００１２】  このように形成された人工呼吸器ホース保持具１にホースを装着するには、保持部１ｃを固定部１ａから離すように板ばねの弾力に抗して広げながらホースを湾曲部１ｂに差し込むことによって完了する。装着された状態では、ホースが板ばねの弾力によって保持される。さらに、保護被膜５の摩擦力によってホースの移動が阻止され、確実に保持される。この保護被膜５は、ホースの保持力を高める他、ホースの損傷を未然防止するとともに、使用者に対する切り傷防止機能を有しているなど安全性も高めている。
【００１３】  図３は、本考案からなる人工呼吸器ホース保持具の第２の実施例を示し、保持部６ｃを左右に横向きに形成している。第２の実施例における人工呼吸器ホース保持具６は、金属製のばね材によって形成され、中央には固定軸２に取り付けるための固定部６ａが形成され、この固定部６ａの左右両側には、ホース（図示しない）を保持するための円弧状の湾曲部６ｂを有する略Ｕ字状の保持部６ｃが各々形成されている。さらに、固定軸２の上端部には握り玉３が取り付けられている。
【００１４】  さらに、前述した第１の実施例と同様に、固定部６ａ、湾曲部６ｂ及び保持部６ｃは、保護被膜５によって被覆されている。この保護被膜５は、例えば塩化ビニール製樹脂をコーティングすることにより形成される。
【００１５】  この第２の実施例において、人工呼吸器ホース保持具６にホースを装着するには、保持部６ｃを板ばねの弾力に抗して広げながらホースを湾曲部６ｂに差し込むことによって完了する。装着された状態では、ホースが板ばねの弾力によって保持される。さらに、保護被膜５の摩擦力によってホースの移動が阻止され、確実に保持される。
【００１６】  図４は、本考案からなる人工呼吸器ホース保持具７を金属製線ばねによって形成した例を示している。この金属製線ばねであっても、上述した実施例と同様に、金属製の線ばね材によって略Ｗ形に形成され、中央頂部には固定軸２に取り付けるための固定部７ａが形成され、この固定部７ａの左右両側にはホース（図示しない）を保持するための円弧状の湾曲部７ｂを有する略Ｕ字状の保持部７ｃが各々形成されている。さらに、人工呼吸器ホース保持具７の固定部７ａ、湾曲部７ｂ、保持部７ｃには、例えば塩化ビニール製樹脂をコーティングすることにより、保護被膜８が形成されている。
【００１７】  この図４に示す第２の実施例においても、人工呼吸器ホース保持具７にホースを装着するには、保持部７ｃを固定部７ａから離すように線ばねの弾力に抗して広げながらホースを湾曲部７ｂ差し込むことによって完了する。装着された状態では、ホースが線ばねの弾力によって保持されることは、前述した実施例と同様である。
【００１８】  以上、本考案を実施例に基づき具体的に説明したが、本考案は上記実施例に限定されるものではなく、その要旨を逸脱しない範囲で種々変形可能であることは言うまでもない。
【符号の説明】
【００１９】１    人工呼吸器ホース保持具
１ａ  固定部
１ｂ  湾曲部
１ｃ  保持部
２    軸
３    握り玉
４    ボルト」
５    保護被膜
６    人工呼吸器ホース保持具
６ａ  固定部
６ｂ  湾曲部
６ｃ  保持部
７    人工呼吸器ホース保持具
７ａ  固定部
７ｂ  湾曲部
７ｃ  保持部
８    保護被膜
【図１】
0003204743.tif 000003
【図２】
0003204743.tif 000004
【図３】
0003204743.tif 000005
【図４】
0003204743.tif 000006